(57)【特許請求の範囲】
【請求項１】
スリット状の排出口（４）と排出口（４）の上部に連接する上向きのほぼＶ字状の案内部（５）とからなるレシート排出口部を筐体（１）に形成し、かつ排出口（４）の下方にプリンタ（６）を配設した型式の売上業務処理端末装置において、前記案内部（５）における斜壁（７ａ），（７ｂ）中の一側の斜壁（７ａ）の下端寄り部分にジャンプ台型の段部（９）を形成するほか、他側の斜壁（７ｂ）の下端にコインの厚みよりも適度に幅の広い底壁（１０）とこの底壁（１０）の端縁に排出口（４）に沿う上向きに突出するガード（１１）とからなるコイン受部（１２）を形成したことを特徴とする売上業務処理端末装置におけるレシート排出口部のコイン落下防止装置。
【請求項２】
スリット状の排出口（４）と排出口（４）の上部に連接する上向きのほぼＶ字状の案内部（５）とからなるレシート排出口部を筐体（１）に形成し、かつ排出口（４）の下方にプリンタ（６）を配設した型式の売上業務処理端末装置において、前記案内部（５）にける両斜壁（７ａ），（７ｂ）の下端にコインの厚みよりも適度に幅の広い底壁（１０）とこの底壁（１０）の端縁に排出口（４）に沿う上向きに突出するガード（１１）とからなるコイン受部（１２）を互いに対向する状態に形成したことを特徴とする売上業務処理端末装置におけるレシート排出口部のコイン落下防止装置。
【発明の詳細な説明】
【０００１】
【発明の属する技術分野】
本発明は、ＰＯＳ端末装置または金銭登録機等の売上業務処理端末装置におけるレシート排出口部のコイン落下防止装置に関するものであり、詳しくはスリット状排出口と上向きに拡開するＶ字状の案内部とからなるレシート排出口部を備えた売上業務処理端末装置におけるレシート排出口部から内方へのコイン落下侵入を防止する装置に関するものである。
【０００２】
【従来の技術】
この種のレシート排出口部は、上向きのＶ字状に開放したままの構造が多く、またコインの落下を防止するための手段としては、レシート排出口部の開口部を覆う軽量なカバーを上方に旋回可能に蝶着し、もって下方からのレシートの繰り出しに際してはカバーを持ち上げ傾向のもとにカバーの自由端側の間隙から上方に送り出すのに反し、店員が現金出納に際してコインをレシート排出口部に過って落下させた場合に、レシート排出口部に対するコインの侵入をカバーにより防止するようにしている。
【０００３】
【発明が解決しようとする課題】
店員が現金出納に際してコインをレシート排出口部に過って落下させる場合があり、その場合にはレシート排出口部が上向きに開放したままの構造であると、コインは板状であるばかりでなく、レシート排出口部がロート状である関係上、上向きＶ字状の案内部から何らの抵抗なくスリット状排出口に直進し、プリンタもしくは端末装置内の他の装備に支障を惹起させる重大欠陥があり、またカバーを特設する構造は、格別の部品を必要とするばかりでなく、蝶番により上方へ旋回可能に設ける等の複雑な構成であり、しかも意匠的にも好ましくない等の欠点がある。
【０００４】
そこで本発明の目的は、カバーを特設することなく、簡単な構造のもとに、上向きに開口したレシート排出口部から端末装置筐体内へのコインの侵入を防止する装置を安価に提供することにある。
【０００５】
【課題を解決するための手段】
本発明は上記目的を達成するため、請求項１の発明は、上向きに拡開するほぼＶ字状の案内部における両対向斜壁中の一方の斜壁の下端寄りの中間に上向きの段部を形成するほか、他側の斜壁下端にはコインの厚みよりも適度に幅の広い底壁とこの底壁の端縁に排出口に沿って上向きの突出するガードとからなるコイン受部を形成し、また請求項２の発明は、斜壁に段部を設けることなく、上向きＶ字状の案内部における両斜壁の下端に、それぞれコインの厚みよりも適度に幅の広い底壁とこの底壁の端縁に排出口に沿って上向きの突出するガードとからなるコイン受部を互いに対向状態に形成したものである。
【０００６】
請求項１の発明においては、段部がある斜壁側にコインが落下した場合には、斜壁を滑落する過程においてコインは段部によりジャンプして対向受部に受け止められ、またコイン受部がある斜壁にコインが落下した場合には、斜壁を伝ってコイン受部に受け止められ、スリット状排出口内方へのコインの侵入が防止される。
【０００７】
【発明の実施の形態】
以下、本発明の実施形態を図面について詳細に説明する。
【０００８】
図示の実施形態は、本発明のコイン落下防止装置をいわゆるＰＯＳ端末装置におけるレシート排出口部に適用した形態であって、適用対象としてのＰＯＳ端末装置としては、例えば図示のように、筐体１に、多数のキーを備えた操作部２，各種のデータを表示するための表示部３，スリット状の排出口４，排出口４の上部に上向きＶ字状に拡開する案内部５，排出口４の下方に配設したプリンタ６，その他の必要な装備を付設した型式を採択し、かつＰＯＳ端末装置をキャッシュドロア付基台（図示せず）に載置する。
【０００９】
なお、本発明の適用対象としては上記型式に限らず、各別の端末機とプリンタとを共通の基台に隣接状態に載置する型式あるいはその他の型式であってもよいこと当然である。
【００１０】
上記型式に対する請求項１の発明の構成としては、図１および図２に詳示するように、前記スリット状の排出口４の上部に形成する案内部５を、上方にほぼＶ字状に拡開する両斜壁７ａ，７ｂと両側壁８とにより角形ロート状に形成し、かつ両斜壁７ａ，７ｂ中の一側の斜壁７ａの下端寄り部分にスキーのジャンプ競技に使用するジャンプ台型の段部９を形成すると共に、他側の斜壁７ｂの下端にコインの厚みよりも適度に幅の広い底壁１０とこの底壁１０の端縁に排出口４に沿って上向きに突出するガード１１とからなるコイン受部１２を形成する。
【００１１】
次に請求項２の発明の構成としては、図４に詳示するように、前記案内部５における両斜壁７ａ，７ｂの下端にコインの厚みよりも適度に幅の広い底壁１０とこの底壁１０の端縁に排出口４に沿って上向きに突出するガード１１とからなるコイン受部１２を互いに対向状態に形成する。
【００１２】
図１および図２の実施形態においては、段部９がある斜壁７ａにコインが落下した場合には、斜壁７ａを滑落する過程においてコインは図１の矢印Ａのように段部９によりジャンプして対向受部１２に受け止められ、またコイン受部１２がある斜壁７ｂにコインが落下した場合には、矢印Ｂのように斜壁７ｂを伝ってコイン受部１２に受け止められ、排出口４から筐体１へのコインの侵入を防止することができる。
【００１３】
図４の実施形態においては、コインがいずれの斜壁７ａ，７ｂに落下しても、コインは斜壁７ａまたは７ｂを伝ってコイン受部１２に受け止められ、排出口４から筐体１へのコインの侵入を防止することができる。
【００１４】
【発明の効果】
以上説明したように本発明によれば、レシート排出口部における上向きＶ字状の案内部５の斜壁７ａに段部９および上向きのガード１１付コイン受部１２を設け、あるいは上向きのガード１１付コイン受部１２を両斜壁７ａ，７ｂに設けたから、これにより著しく簡単な構成のもとに、スリット状の排出口４から端末装置筐体１内へのコインの侵入を防止することができ、従ってコインの侵入に起因するプリンタ６その他の内蔵機器等の故障を未然に防止することができるのであり、しかも装備については成型により著しく安価に製作することができるほか、意匠的にも遜色がない。
【図面の簡単な説明】
【図１】本発明のコイン落下防止装置の１実施形態を示す縦断側面図である。
【図２】図１の装置の部分的破断斜面図である。
【図３】本発明のコイン落下防止装置を適用する売上業務処理端末装置の平面図。
【図４】他の実施形態の要部だけの縦断側面図である。
【符号の説明】
１  筐体
４  排出口
５  案内部
６  プリンタ
７ａ  斜壁
７ｂ  斜壁
９  段部
１０  底壁
１１  ガード
１２  コイン受部
【図１】
0003725937.tif 000002
【図２】
0003725937.tif 000003
【図３】
0003725937.tif 000004
【図４】
0003725937.tif 000005